(57)【要約】【課題】ＩＣタグを用いて布設情報を容易に取得し、あるいは付加情報を入力できるようにしたケーブルの布設方法とケーブルの布設装置を提供する。【解決手段】布設されるために繰り出されるケーブル１１の引き出し口において、布設時に準備された所定の布設情報を記録したＩＣタグ１６を、予め定められたタイミングでケーブルに貼り付ける布設方法である。この方法を実現する布設装置は、布設されるためのケーブル１１を繰り出す送り出し装置１２と、この送り出し装置１２の近傍に配置され、布設時に準備された所定の布設情報を記録したＩＣタグ１４を、予め定められたタイミングでケーブルに装着するＩＣタグ貼り付け装置１４とを備えている。【選択図】図１
2006033898.tif 000002
【特許請求の範囲】
【請求項１】
布設されるために繰り出されるケーブルの引き出し口において、布設時に準備された所定の布設情報を記録したＩＣタグを、予め定められたタイミングで前記ケーブルの表面に装着することを特徴とするケーブルの布設方法。
【請求項２】
布設されるためのケーブルを繰り出す送り出し装置と、
この送り出し装置近傍に配置され、布設時に準備された所定の布設情報を記録したＩＣタグを、予め定められたタイミングで前記ケーブルに装着するＩＣタグ貼り付け装置とを備えたことを特徴とするケーブルの布設装置。
【請求項３】
請求項２記載のケーブルの布設装置において、
前記送り出し装置近傍に配置され、ケーブルに装着されたＩＣタグ及びそのＩＣタグがデータ書き込み可能かどうかを検出する情報読取り機と、
ケーブル布設時に準備された所定の布設情報を記憶した記憶装置と、
前記記憶装置の布設情報を前記ＩＣタグに記録する記録装置とを備えたことを特徴とするケーブルの布設装置。
【請求項４】
請求項３記載のケーブルの布設装置において、
前記記憶装置に、前記布設情報と付加情報を含む布設記録が記録されていることを特徴とするケーブルの布設装置。
【発明の詳細な説明】
【技術分野】
【０００１】
本発明は、ケーブルを布設するときに、そのケーブルの布設環境やその他の情報をケーブル本体に記録しておくことができるケーブルの布設方法とケーブルの布設装置に関する。
【背景技術】
【０００２】
ケーブルを布設するときは、所定の設計図に従って工事が行われる。例えば、道路の地下にケーブルを埋設するときは、市町村の管理事務所に道路工事台帳等が用意されており、これを参照すると、布設状態が分かる。また、ケーブルの布設長さがケーブル毎に異なり、また現場にてレイアウト上、ケーブルの布設長さが急遽変更される場合が多々ある。
【特許文献１】特開平５−１６１２２４号公報
【発明の開示】
【発明が解決しようとする課題】
【０００３】
上記の技術には、次のような解決すべき課題があった。
例えば、共同溝には、多数のケーブルが布設されている。これらのケーブルがそれぞれどのように布設されているかを区別するのは容易でない。また、ケーブルの布設長さが急に変更される場合は、布設情報の記入作業が人的作業となり、作業負荷が増大するとともに、同記入作業が煩雑となり、作業効率が低下するという課題があった。
なお、ケーブル布設情報をバーコードで管理する方式がある（特許文献１参照）が、物流の迅速化、効率化等において現状にそぐわない場合がある。
【０００４】
本発明は、以上の課題を解決するためになされたもので、ＩＣタグを用いて布設情報を容易に取得し、あるいは付加情報を入力できるようにしたケーブルの布設方法とケーブルの布設装置を提供することを目的とする。
【課題を解決するための手段】
【０００５】
本発明の各実施例においては、それぞれ次のような構成により上記の課題を解決する。
〈構成１〉
布設されるために繰り出されるケーブルの引き出し口において、布設時に準備された所定の布設情報を記録したＩＣタグを、予め定められたタイミングで上記ケーブルの表面に装着することを特徴とするケーブルの布設方法。
【０００６】
布設情報は、予め布設設計書などから生成したものである。
ここで、予め定められたタイミングとは、順次１枚ずつ取り出されたＩＣタグに布設情報を記録し、この記録作業が終了した段階を経るものである。
【０００７】
〈構成２〉
布設されるためのケーブルを繰り出す送り出し装置と、この送り出し装置近傍に配置され、布設時に準備された所定の布設情報を記録したＩＣタグを、予め定められたタイミングで上記ケーブルに装着するＩＣタグ貼り付け装置とを備えたことを特徴とするケーブルの布設装置。
【０００８】
構成１の方法を実現するための装置である。送り出し装置はケーブルを両側から挟持する一対のエンドレスベルトに限定されないが、ＩＣタグをケーブルの所望の位置に装着するために、ケーブルをできるだけ正確に送り出すことができるものが好ましい。
【０００９】
〈構成３〉
構成２記載のケーブルの布設装置において、上記送り出し装置近傍に配置され、ケーブルに装着されたＩＣタグ及びそのＩＣタグがデータ書き込み可能かどうかを検出する情報読取り機と、ケーブル布設時に準備された所定の布設情報を記憶した記憶装置と、上記記憶装置の布設情報を上記ＩＣタグに記録する記録装置とを備えたことを特徴とするケーブルの布設装置。
【００１０】
複数のＩＣタグをタイミングよくケーブルに装着することができる。
【００１１】
〈構成４〉
構成３記載のケーブルの布設装置において、上記記憶装置に、上記布設情報と付加情報を含む布設記録が記録されていることを特徴とするケーブルの布設装置。
【００１２】
布設記録がデータベースに転送されて様々な管理に利用できる。布設工事の際には、新規事項や仕様変更等の様々な付加的な情報が収集される。これを例えば、キーボードのような付加情報入力装置を利用して記憶装置に記憶させておくことができる。
【発明を実施するための最良の形態】
【００１３】
本発明のケーブルの布設方法は、布設されるために繰り出されるケーブルの引き出し口において、布設時に準備された所定の布設情報を記録したＩＣタグを、予め定められたタイミングで固定するものである。
この方法を実現するため、下記実施例に示すケーブル布設装置を用いる。
以下、本発明の実施の形態を実施例に基づき詳細に説明する。
【実施例１】
【００１４】
図１は、実施例１のケーブルの布設装置を示す外観側面図である。
図１において、実施例１のケーブルの布設装置は、布設されるためのケーブルを繰り出す送り出し装置１２と、この送り出し装置１２の近傍に配置され、布設時に準備された所定の布設情報を記録したＩＣタグを、予め定められたタイミングで装着するＩＣタグ装着１４とを備えている。
【００１５】
ケーブル１１を布設するときには、送り出し装置１２を用いてケーブル１１をサプライドラム１０から順次繰り出す。このケーブル１１の繰り出し経路上にＩＣタグ装着装置１４を配置する。このＩＣタグ装着装置１４によりケーブル１１の表面に所定の間隔を置いて複数のＩＣタグを逐次貼り付ける。
【００１６】
図２は、ＩＣタグ装着装置１４の具体例を示すブロック図である。
ＩＣタグ装着装置１４は、予め用意した多数のＩＣタグ１６をケーブル１１に貼り付ける機能を持つ。ＩＣタグ１６は、例えば、複数枚が配列されたものから順次１枚ずつ取り出され、記録ヘッド１８により布設情報２４が書き込まれる。記録ヘッド１８には、記録装置２０と記憶装置２２が接続されている。
【００１７】
記憶装置２２には布設情報２４と布設記録２６が記憶されている。布設情報２４は、予め布設設計書などから生成したもので、例えば、布設ルート、ケーブルの識別番号、接続機器情報、施工区分、施工変更情報、施工会社等を含めた情報である。この布設情報２４は、記録装置２０によって記憶装置２２から読み出され、記録ヘッド１８によってＩＣタグ１６に記録される。布設情報２４が記録されたＩＣタグ１６は、ケーブル１１の上に運ばれて貼り付けられる。
【００１８】
なお、布設工事の際には、新規事項や仕様変更等の様々な付加的な情報が収集される。これを例えば、キーボードのような付加情報入力装置２８を利用して記憶装置２２に記憶させておく。布設記録２６は、布設情報２４と付加情報とを含む情報である。この布設記録２６は、データベースに転送されて、様々な管理に利用されるとよい。
【００１９】
図３は、ＩＣタグ装着装置１４の変形例を示すブロック図である。
この例では、ケーブル３０に予め多数のＩＣタグ３２が所定間隔を置いて貼り付けられている。これらのＩＣタグ３２は、全て布設情報２４を記録できるものであってもよいし、一部は、ケーブルの製造時にケーブルの種別などを記録するために貼り付けられたもので読み出し専用であってよい。一部に書き込みが可能なＩＣタグ３２を配置しておく。
【００２０】
情報読取り機３４は、ＩＣタグ３２と通信を行い、書き込み可能なタグであるかどうかを判断するために利用される。記録ヘッド３６は、既に図２を用いて説明した通り、記憶装置２２から記録装置２０の読み出した布設情報２４をＩＣタグ３２に記録する機能を持つ。情報読取り機３４が通信をしてＩＣタグ３２から読み出した情報は、読み取り情報３８として布設記録２６に記録される。また、布設記録２６には、新規事項や仕様変更等の様々な付加的な情報がキーボードのような付加情報入力装置２８を利用して記録される。
【００２１】
図４は、ＩＣタグ装着装置１４の具体的な機能を説明するブロック図である。
図４に示すＩＣタグ３２は、ケーブルの表面に装着され、ケーブル布設に必要な様々な情報を記録したものである。このＩＣタグ３２には受信機４２と送信機４４とデータメモリ４６とアンテナ４８とが設けられている。受信機４２は、アンテナ４８を通じて受信した問合せ信号６２により送信機４４を起動する機能を持つ。送信機４４は、データメモリ４６に記録した特性情報をアンテナ４８を通じて送信する機能を持つ。この送信された信号が応答信号６４である。
【００２２】
一方、情報読取機３４は、ＩＣタグ３２の情報を読み取るための装置であって、送信機５２と受信機５４と読取りデータメモリ５６とインタフェース５８とアンテナ６０とを備える。送信機５２は、ＩＣタグ３２に対しアンテナ６０を通じて問合せ信号６２を送信する機能を持つ。受信機５４は、ＩＣタグ３２から受信した応答信号６４を受け入れて読取りデータメモリ５６に記録する機能を持つ。なお、この読取りデータメモリ５６は、インタフェース５８を通じて読み取り情報３８に読み取られる。
【００２３】
情報読取機３４は、このように問合せ信号６２を送信することによってＩＣタグ３２の存在と、ＩＣタグ３２が書き込み可能なタグであるかどうかを確認し、ＩＣタグ３２から送信された応答信号６４を受信して読取りデータメモリ５６に記録する。例えば、図３に示したケーブル３０にＩＣタグ３２が設けられていなかったり、ＩＣタグ３２が書き込み可能なタグでない場合には、情報読取機３４は応答信号６４を受信しない。この時は、ケーブル３０に必要な布設情報が記録されていないものと判断することになる。
【００２４】
ケーブルに関する様々な情報は、このタイミングで布設記録２６に含められる。付加情報入力装置２８を布設記録２６に含める点については既に説明した通りである。こうして読み取り情報３８が取得できたＩＣタグ３２は、記録が不可能なものである。読み取り情報３８が読み取りできないＩＣタグ３２は、布設情報２４を書き込み可能なタグである。このような判断をして記録装置２０が記録ヘッド３６を制御して布設情報２４の書き込みを行うとよい。
【００２５】
以上のようにすれば、ケーブルの布設する際に布設ルートや布設時の状況、あるいは布設されたケーブルを後で点検する場合に必要な様々な情報をＩＣタグに記録しておくことができる。そして、読み取り装置さえ持っていれば、いつでもその情報を現場で読み取ることができるので、布設されたケーブルの保守管理に広く利用できる。
【図面の簡単な説明】
【００２６】
【図１】本発明の装置の外観側面図である。
【図２】ＩＣタグ装着装置の具体例を示すブロック図である。
【図３】ＩＣタグ装着装置の変形例を示すブロック図である。
【図４】ＩＣタグ装着装置の具体的な機能を説明するブロック図である。
【符号の説明】
【００２７】
１０  サプライドラム
１１  ケーブル
１２  送り出し装置
１４  ＩＣタグ装着装置
１６  ＩＣタグ
１８  記録ヘッド
２０  記録装置
２２  記憶装置
２４  布設情報
２６  布設記録
２８  付加情報入力装置
【図１】
2006033898.tif 000003
【図２】
2006033898.tif 000004
【図３】
2006033898.tif 000005
【図４】
2006033898.tif 000006